(57)【要約】【課題】インターネット上の投稿システムにおける単数、もしくは複数のアフィリエイトサービス利用の簡易化。【解決手段】投稿された記事を表示するシステムであって、記事内のアフィリエイトサービスの対象となっている商品名や商品番号などの情報に対して、広告主のサイトに誘導するようなリンクが自動生成されることを特徴とする。なお、アフィリエイトサービスの対象となる商品情報は、単数、もしくは複数のアフィリエイトサービス提供元から取得する。【選択図】図１
2007004754.tif 000002
【特許請求の範囲】
【請求項１】
インターネット上の投稿記事を表示するシステムにおいて、記事内にあらかじめ用意された文字列とそれに関連するリンク情報群の文字列が検出された場合、記事内の文字列に検出された文字列に付随するリンクを張ることを特徴とするコンテンツ表示システム。
【請求項２】
前記システムにおいて、アフィリエイトサービスで取り扱われている要素、例えば商品情報を文字列としてあらかじめ用意しておき、投稿された記事に対して自動的に生成されるハイパーリンクはアフィリエイトサービスへのリンクとなっていることを特徴とするコンテンツ表示システム。
【請求項３】
前記システムにおいて、ひとつ以上のアフィリエイトサービス提供元が取り扱っている要素を文字列としてあらかじめ用意し、投稿者が記事を投稿することにより、アフィリエイトサービスの提供元を意識せずに、複数のアフィリエイトサービスを一括利用できることを特徴とするコンテンツ表示システム。
【発明の詳細な説明】
【技術分野】
【０００１】  本発明は、インターネット上における動的コンテンツの表示、および、広告主のサイトへのリンクに関する。
【背景技術】
【０００２】  従来、アフィリエイト広告は、アフィリエイトサービス利用者が広告主によって提供されるアフィリエイトサービスに事前に登録をおこない、インターネット上の画像や文章などのコンテンツから、広告主のサイトへのハイパーリンクを設置することにより、そのリンクからのアクセス数に応じた報奨金が、アフィリエイトリサービス利用者に支払われる広告形態である。【０００３】  アフィリエイト広告の掲載時において、アフィリエイトサービス利用者は、商品などのアフィリエイト広告対象となる要素が、アフィリエイトサービスの対象になっているかどうか調べた上で、そのサービスにおいてさだめられている方法をもちいて、ハイパーリンクを設置する。
【発明の開示】
【発明が解決しようとする課題】
【０００４】  上述の如く、アフィリエイトサービス利用者が多数のアフィリエイトサービスを利用して報奨金を得るためには、それぞれの広告主と契約を行うため、手間がかかる。【０００５】  また、アフィリエイト広告をサイトに掲載する時には、アフィリエイト広告対象がどのアフィリエイトサービスの対象となっているのか、あるいはどのようにハイパーリンクをはる必要があるのかを事前に調査した上で、複雑なハイパーリンクの記述が必要であったため、経験のない利用者にとっては難解であった。【０００６】  そこで本発明では、アフィリエイトサービスの窓口を一本化し、かつ、自動的にアフィリエイト広告を文章などのコンテンツに付与することにより、容易に複数のアフィリエイトサービスを利用可能とし、より効率的に報奨金を取得可能とすることを課題とする。
【課題を解決するための手段】
【０００７】  上記課題において、ハイパーリンクの生成を容易にするために、請求項１の発明は、利用者が何らかの文章、および、画像などの記事を投稿するときに、その記事内の文字列に関連している要素を情報群から探し出し、その要素に付随している情報を用いて記事内に自動的にハイパーリンクを生成することを特徴とするシステムである。【０００８】  一例として、本発明システム利用者が、何らかの文章、および、画像などの記事を投稿するときに、その記事中に含まれている商品などのアフィリエイト広告要素をアフィリエイト広告要素群から探し出し、自動的にアフィリエイトリンクを生成する。【０００９】  また、一つ以上のアフィリエイトサービスに関するデータを用意しておけば、事前に利用者が本システムに利用者登録するだけで、一つ以上のアフィリエイトサービスを利用可能とすることを特徴としている。
【発明の効果】
【００１０】  以上説明したように、本発明により、投稿記事内に自動的にハイパーリンクを生成することができるため、投稿記事をより有益な情報に変化させることが可能である。投稿記事をより有益な情報に変化させた上でアフィリエイトサービスと連携させることにより、より多くの報奨金を取得するのに効果的である。【００１１】  また、本発明により単数、または、複数のアフィリエイトサービスを取り扱うシステムを、一度の登録のみで利用可能にしたため、アフィリエイトサービス毎の登録作業が不要になる。さらに、本発明では自動的にアフィリエイトリンクを生成するため、アフィリエイトサービス提供元毎に指定された複雑なハイパーリンクの生成が不要となり、容易にアフィリエイトサービスを利用することが可能である。
【発明を実施するための最良の形態】
【００１２】  以下、本発明の実施の形態を図面に基づき詳細に説明する。【００１３】  図１は本発明の概要、図２は本発明のシステム構成図、図３、図４は、本発明のシステムにおけるデータフロー図、また、図５はデータ構成図である。【００１４】  図１に示すように、本発明のシステムは投稿された記事１０１内に存在する文字列が、アフィリエイトサービスデータ１０３に登録されている場合、その文字列に関連付けられている情報を利用して記事内にハイパーリンクを自動的に生成して表示１０２を行うものである。なお、アフィリエイトサービスデータは、単数、もしくは複数のアフィリエイトサービスからなるアフィリエイトサービス群１０４から取得する。【００１５】  図２に示すように、本発明は本発明システム導入サーバ２０１、記事投稿者端末２０３、記事閲覧者端末２０４、アフィリエイトサービス提供元サーバ群２０２によって構成される。システム導入サーバ２０１、記事投稿者端末２０３、記事閲覧者端末２０４、アフィリエイトサービス提供元サーバ群２０２はそれぞれネットワーク接続されている。ネットワークは、典型的にはインターネットであるが、イントラネットであっても良い。また、記事投稿者端末２０３、記事閲覧者端末２０４は、典型的にはＷｅｂブラウザを搭載したＰＣであるが、Ｗｅｂブラウザを搭載した携帯電話、ＰＤＡでも良い。記事投稿者端末２０３、および、記事閲覧者端末２０４からはブラウザを利用してシステム導入サーバ２０１にアクセスが可能である。ここで、以下に説明する機能を実現するプログラムをシステム導入サーバ２０１にインストールする。【００１６】  図３に示すように、記事投稿者が記事を投稿すると、分かち書きプロセス３０２を通じて記事内容の分かち書きを行った上で、記事登録処理プロセス３０３によって、記事内容、および、分かち書き情報が記事データ３０４に登録される。記事データ３０４に登録された記事は、記事閲覧者からブラウザによって閲覧可能な状態になる。【００１７】  記事の表示に際し、本発明ではプロセス３０５〜３０７を経る。まず記事取得プロセス３０５では、記事閲覧者が希望した記事の登録データ、および、分かち書きデータを記事データ３０４から取得する。アフィリエイトデータ検索プロセス３０６においては、アフィリエイトデータ３１２より、このキーワードを含むアフィリエイトデータを検索し、該当するデータが見つかった場合には、リンク生成プロセス３０７によって記事内のキーワードにリンクが生成される。このリンク生成プロセス３０７においては、アフィリエイトデータ３１２内の各キーワードに関連付けられたＵＲＬ等を利用してリンクを生成する。なお、アフィリエイトデータ３１２には、各アフィリエイトサービスが提供しているアフィリエイトデータ３１０が取得プロセス３１３を通して随時登録される。記事閲覧者が、記事の閲覧画面から自動生成されたリンクを押下３０９することにより、アフィリエイトサービス提供元の商品ページ３１１などのサイト内ページに遷移する。このアフィリエイト提供元サイトへ遷移した回数、および、遷移後の契約成立数によって報奨金を得ることができる。【００１８】  アフィリエイトデータは、随時更新が行われ���が、記事を表示する前に図３中のプロセス３０５〜３０７を実行することにより、記事に常に最新のアフィリエイトデータを反映させることができる。例えば、記事登録時にはアフィリエイトデータ内に存在しなかったキーワードでも、記事表示時にアフィリエイトデータとして登録されていれば、自動的にリンクが生成され、アフィリエイトサービス提供元のサイトに誘導が可能となる。【００１９】  図３中プロセス３０５〜３０７によって、自動的に記事内にアフィリエイトサービス提供元へのリンクが生成されるため、記事投稿者は容易にアフィリエイトサービスを利用することができる。【００２０】  アフィリエイトデータは、単数、または複数のアフィリエイトサービスからデータを取得し、本発明がそれぞれのサービスの差異を吸収するため、記事投稿者はどのアフィリエイトサービス提供者のサービスを利用しているか意識する必要がなく、容易に複数のアフィリエイトサービスから報奨金を得ることが可能である。【００２１】  本発明が図３の実施形態をとるとき、各データは図５のようなデータ構造をとる。
登録記事マスタ５０２には、投稿された記事の内容が保存される。一方で、アフィリエイトデータはアフィリエイトデータマスタ５０３に保存される。登録記事マスタ内の記事内容は、分かち書きプロセスによって、形態要素解析がおこなわれ、キーワードに分割されたものがキーワード情報５０１にも保存される。このそれぞれのキーワードがアフィリエイトデータマスタ５０２内の商品名、商品コードに含まれているレコードを検索し、そのレコード内のアフィリエイトサービス提供元情報、または、ＵＲＬを利用して投稿記事にハイパーリンクを形成する。【００２２】  なお、アフィリエイトデータ検索プロセスは、記事登録後に限らず、図４のように記事の登録前、つまり記事登録プロセス４０５の実行前に実行されてもよい。この場合、アフィリエイトデータが更新されるたびに、登録された記事を再構成するプロセス４１１を実行する必要があるが、表示のたびにアフィリエイトデータとの照合を行わなくてすむため、表示処理に要する時間が短くなり、記事閲覧者にあたえるストレスを軽減することが可能である。【００２３】  以上、本発明の実施の形態、および実施例を説明したが、本発明の範囲はこれに限定されるものではない。例えば、この本発明のシステムをブログなどのＣＭＳツールと組み合わせて利用することも可能である。【００２４】  また、データ構造についても、図４に示した項目以外に適宜必要な要素を持ってもよい。例えば、投稿記事マスタ５０２に投稿者ＩＤや、投稿年月日などを追加することも可能であるし、アフィリエイトデータマスタ５０３内のそれぞれのレコードに対して、複数のキーワードを関連付けられるようにすることも可能である。
【産業上の利用可能性】
【００２５】  本発明は、アフィリエイトサービスを利用した商品紹介サイトを構築する分野で利用することができる。
【図面の簡単な説明】
【００２６】
【図１】  本発明のシステム概要図である。
【図２】  本発明の概略を示したシステム構成図である。
【図３】  本発明システムのデータ、およびプロセスの関係を示したデータフロー図である。
【図４】  本発明システムのデータ、およびプロセスの関係を示したデータフロー図である。
【図５】  データ同士の関連を示したデータ構成図である。
【符号の説明】
【００２７】１０１、３０１、４０１      記事の投稿
１０２、３０８、４０９      記事の表示
１０３、３１２、４０６      アフィリエイトサービスデータ
１０４                      アフィリエイトサービス群
２０１                      本発明システム導入サーバ
２０２                      アフィリエイトサービス提供元サーバ群
２０３                      記事投稿者端末
２０４                      記事閲覧者端末
３０２、４０２              記事分かち書きプロセス
３０３、４０５              記事登録処理プロセス
３０４、４０７              記事データ
３０５、４０８              記事取得プロセス
３０６、４０３              アフィリエイトデータ検索プロセス
３０７、４０４              リンク生成プロセス
３０９、４１０              リンク押下プロセス
３１３、４１２              アフィリエイトデータ取得プロセス
３１０、４１３              アフィリエイト提供元所有アフィリエイトデータ
３１１、４１４              商品ページ
４１１                      記事データ再構築プロセス
５０１                      キーワード情報テーブル
５０２                      登録記事マスタテーブル
５０３                      アフィリエイトデータマスタ
【図１】
2007004754.tif 000003
【図２】
2007004754.tif 000004
【図３】
2007004754.tif 000005
【図４】
2007004754.tif 000006
【図５】
2007004754.tif 000007